(57)【要約】【課題】簡素な構成で安全なインターロック装置付挿入型回路遮断器を得る。【解決手段】挿入型回路遮断器２のハンドル２ｅに係合し、オン、オフおよびトリップ位置の変化により回動またはスライドするスライド板１または３を配設し、挿入型回路遮断器２がオフまたはトリップ状態のときにはスライド板１に設けた鉤状腕部１ｂが、盤パネル１２のパネル係合部１２ｂとの係合から解除され、挿入型回路遮断器２は盤パネル１２から離脱可能で、挿入型回路遮断器２がオン状態のときには鉤状腕部１ｂが盤パネル１２のパネル係合部１２ｂと係合し、挿入型回路遮断器２を盤パネル１２から離脱不能に保持させるようにした。【選択図】        図１
2004281217.tif 000002
【特許請求の範囲】
【請求項１】
電路に接続された導電バーに挿入接続した状態で盤パネルに着脱自在に固定される挿入型回路遮断器において、上記挿入型回路遮断器をオン、オフ操作するハンドルの動作に連動し、上記ハンドルがオン状態のときは、上記盤パネルに係合して上記挿入型回路遮断器を上記盤パネルから離脱不能に保持し、上記ハンドルがオフ状態のときは上記係合が外れて上記挿入型回路遮断器が上記盤パネルから離脱可能になされるスライド板を設けたことを特徴とする挿入型回路遮断器。
【請求項２】
上記スライド板は、ほぼＵ字形状に形成され、ハンドルを挿通して挿入型回路遮断器の外面に跨架されると共に、跨架された２辺の腕部に対称に配設された軸受孔が上記挿入型回路遮断器の両側に突設された突起軸に対して回動できるように嵌められ、上記ハンドルをオン状態にしたときスライド板が回動して、跨架された腕部の先端に設けられた鉤状腕部が盤パネルに係合し、上記ハンドルをオフ状態にしたとき上記鉤状腕部と盤パネルとの係合が解除されるようにしたことを特徴とする請求項１記載の挿入型回路遮断器。
【請求項３】
上記軸受孔が長孔に形成されたことを特徴とする請求項２記載の挿入型回路遮断器。
【請求項４】
上記スライド板は、ほぼＵ字形状に形成され、ハンドルを挿通して挿入型回路遮断器の外面に跨架されると共に、上記ハンドルをオン状態にしたときスライド板が摺動して、跨架された腕部の先端に設けられた鉤状腕部が盤パネルに係合し、上記ハンドルをオフ状態にしたとき上記鉤状腕部と盤パネルとの係合が解除されるようにしたことを特徴とする請求項１記載の挿入型回路遮断器。
【請求項５】
上記スライド板が跨架された部分には、挿入型回路遮断器の外周面から、ほぼ上記スライド板の厚さ寸法に相当する寸法の段差を設けたことを特徴とする請求項１ないし請求項４のいずれか１項記載の挿入型回路遮断器。
【請求項６】
上記スライド板が弾性変形材で形成されたことを特徴とする請求項１ないし請求項５のいずれか１項記載の挿入型回路遮断器。
【発明の詳細な説明】
【０００１】
【発明の属する技術分野】
この発明は、配電盤等の盤パネルから安全に着脱できるようにしたインターロック装置を有する挿入型回路遮断器に関するものである。
【従来の技術】
【０００２】
従来の挿入型回路遮断器を盤パネルに固定するための構成としては、例えば、電源用の導電バーに斜め側方から嵌め込まれた後、盤パネルに固定された弾性爪片に引掛凹所を押し込み、盤パネルに固定される（例えば、特許文献１参照）。
このような挿入型回路遮断器は、盤パネルに対する着脱が容易であるために、負荷回路に接続されていない状態では、簡単に盤パネルから取り外すことができる。また、負荷回路の接続手段によっては、負荷回路の導体を接続した状態であっても、導電バーから挿入型回路遮断器を取り外すことができる。
【０００３】
しかし、上記のように、挿入型回路遮断器において、オン状態で取り外すことは災害を生じる恐れがあるので、オン状態では挿入型回路遮断器を取り外しできないようにするためのインターロック装置が考えられている。即ち、従来のインターロック装置を有する回路遮断器としては、回路遮断器の開閉操作を行なうためのハンドルの動作に連動して回路遮断器の前面部で移動するスライド板と、このスライド板の側方において、その側方の端部に直角に形成された折曲げ部に係合するように形成された凹部を有する止め金とを備え、回路遮断器がオン状態のときには、スライド板の折曲げ部を止め金の凹部に係合させることによって、盤パネルから着脱できない構造にしている（例えば、特許文献２参照）。
【０００４】
【特許文献１】
特開平１１−１８７５１６号公報（要約，図１）
【特許文献２】
特公平７−１１４１００号公報（第１図，第２図）
【０００５】
【発明が解決しようとする課題】
上記のように、挿入型回路遮断器においては、オン状態では挿入型回路遮断器を取り外しできないようにするためのインターロック装置が望まれるが、特許文献２に示されたような構成のものにおいては、複数の部品から構成されており構造が複雑でコストが高く、また、必要に応じて簡単に装着できるものではないなどの問題点があった。
【０００６】
この発明は、かかる問題点を解決するためになされたものであり、簡素で安全な構成であり、また、必要に応じて簡単に装着できるインターロック装置を備えた挿入型回路遮断器を提供することを目的としている。
【０００７】
【課題を解決するための手段】
この発明に係る挿入型回路遮断器は、挿入型回路遮断器をオン、オフ操作するハンドルの動作に連動し、ハンドルがオン状態のときは、盤パネルに係合して挿入型回路遮断器を盤パネルから離脱不能に保持し、ハンドルがオフ状態のときは上記係合が外れて挿入型回路遮断器が盤パネルから離脱可能になされるスライド板を設けたものである。
【０００８】
【発明の実施の形態】
実施の形態１．
図１はこの発明の実施の形態１における挿入型回路遮断器のオン状態を示す側面図、図２は図１のオフ状態を示す側面図、図３は図１のトリップ状態を示す側面図、図４は実施の形態１における挿入型回路遮断器のスライド板を組み込む前の状態を示す斜視図、図５は回路遮断器にスライド板を組み込む前の状態を示すもので図３のＡ−Ａ線における説明図、図６は回路遮断器にスライド板を組み込む途中の状態を示すもので図３のＡ−Ａ線における説明図である。図４、図５における矢印イはスライド板を回路遮断器に組み込む方向を示す。
【０００９】
これらの図において、挿入型回路遮断器２は、図示しない電源電路に接続された導電バー１０に斜め側方から切り溝２ｄを嵌め込んだ後、盤パネル１２に固定された弾性爪片１２ｃに挿入型回路遮断器２の引掛凹所２ｃを押し込み、盤パネル１２に固定される。
【００１０】
挿入型回路遮断器２の外周面には段差部２ａが配設されている。この段差部２ａは、後述のスライド板１が摺動する範囲よりやや大きい範囲に配設されている。段差の高さ寸法は、オンオフ用のハンドル２ｅの面ではスライド板１の板厚よりも若干大きい寸法になされ、挿入型回路遮断器２の両側面では、スライド板１の板厚とほぼ同じか、できれば僅かに大きい寸法になされるのが望ましい。挿入型回路遮断器２の両側面において段差部２ａのほぼ中央部には突起軸２ｂが対称的に凸設されている。
【００１１】
スライド板１は、金属板を用いてほぼＵ字形状に形成され、上面のハンドル嵌挿孔１ｄにハンドル２ｅを挿通して挿入型回路遮断器２の外面に跨架されると共に、跨架された２辺の腕部１ａに対称に配設された軸受孔１ｃが挿入型回路遮断器２の両側に突設された突起軸２ｂに対して嵌められている。突起軸２ｂに嵌められたスライド板１は突起軸２ｂを中心にして回動できるように構成されている。そして、ハンドル２ｅをオン状態にしたときスライド板１がハンドル２ｅの動きに従って従回動し、跨架された２辺の腕部１ａの先端に設けられた鉤状腕部１ｂが盤パネル１２に係合するように構成されている。なお、盤パネル１２には、鉤状腕部１ｂが係合するための角孔１２ａが設けてあり、鉤状腕部１ｂが係合すると、オン状態の挿入型回路遮断器２を盤パネル１２から取り外すことはできない。軸受孔１ｃは、図では長孔になっているが、丸孔でもよい。
【００１２】
また、挿入型回路遮断器２のハンドル２ｅを矢印ア方向（図１に示す）に回動したオフ状態（図２に示す）、または、トリップ状態（図３に示す）にすると、鉤状腕部１ｂは図示のように盤パネル係合部１２ｂとの係合が解除されるため、挿入型回路遮断器２を盤パネル１２から取り外し可能となる。
【００１３】
ところで、図５及び図６に示すように、スライド板１は例えば、鋼板、ステンレス板などの弾性変形できる材料で形成しているので、スライド板１の軸受孔１ｃと、挿入型回路遮断器２の両側に突設された突起軸２ｂは、挿入型回路遮断器２が盤パネル１２に敷設された状態でも、スライド板１のたわみにより、簡単に装着することが可能である。
【００１４】
また、挿入型回路遮断器２の外周面に配設した段差部２ａの寸法をスライド板１の板厚以上にすると共に、突起軸２ｂの突出寸法をスライド板１の板厚以下にすることにより、スライド板１を設置した場合でも、回路遮断器よりスライド板１がはみ出すことが無く、挿入型回路遮断器２を複数密着して取り付けても幅サイズが変化することはない。
【００１５】
さらにまた、軸受孔１ｃが長孔に形成されている場合には、スライド板１を装着するときにこの長孔の下方位置に突起軸２ｂを嵌挿した後、スライド板１を矢印イ方向（図５に示す）に移動させ、ハンドル嵌挿孔１ｄにハンドル２ｅを挿入すると、突起軸２ｂが軸受孔１ｃ内を移動することによりスライド板１が容易に装着できる。
【００１６】
実施の形態２．
図７はこの発明の実施の形態２における挿入型回路遮断器のオン状態を示す側面図、図８は実施の形態２における挿入型回路遮断器のスライド板を組み込む前の状態を示す斜視図である。
【００１７】
この図において、挿入型回路遮断器２０は、図示しない電路に接続された導電バー１０に斜め側方から切り溝２０ｄを嵌め込んだ後、盤パネル１２に固定された弾性爪片１２ｃに挿入型回路遮断器２０の引掛凹所２０ｃを押し込み、盤パネル１２に固定される。
【００１８】
挿入型回路遮断器２０の外周面には段差部２０ａが配設されている。この段差部２０ａは、後述のスライド板３が摺動する範囲よりやや大きい範囲に配設されている。段差の高さ寸法は、オンオフ用のハンドル２０ｅの面ではスライド板３の板厚よりも若干大きい寸法になされ、挿入型回路遮断器２０の両側面では、スライド板３の板厚よりも僅かに大きい寸法になされている。スライド板３は、金属板を用いてほぼＵ字形状に形成され、ハンドル２０ｅを挿通して挿入型回路遮断器２０の外面に跨架される。跨架される部分の腕３ａの先端には鉤状腕部３ｂが形成されている。この鉤状腕部３ｂは、盤パネル１２に設けられた角孔１２ａを貫通し、後述のように挿入型回路遮断器２０がオン状態のとき（図７に示す）には、盤パネル係合部１２ｂと係合する。
【００１９】
スライド板３の鉤状腕部３ｂが盤パネル係合部１２ｂと係合する動作は、ハンドル２０ｅの操作によってなされる。即ち、スライド板３は、ハンドル嵌挿孔３ｃをハンドル２０ｅに挿通して挿入型回路遮断器２０の外面に跨架されている。従って、ハンドル２０ｅをオンオフ操作すると、スライド板３はハンドル２０ｅの動作に連動して挿入型回路遮断器２０の段差部２０ａを図７において左右に摺動する。この摺動により、上記のようにハンドル２０ｅがオンのとき鉤状腕部３ｂが盤パネル係合部１２ｂと係合する。鉤状腕部３ｂが係合すると、オン状態の挿入型回路遮断器２０を盤パネル１２から取り外すことはできない。
【００２０】
また、挿入型回路遮断器２０のハンドル２０ｅを矢印ウ方向（図７に示す）に移動させた場合、つまり、オフまたはトリップ状態にすると、鉤状腕部３ｂと盤パネル係合部１２ｂとの係合が解除されるため、挿入型回路遮断器２０を盤パネル１２から取り外し可能となる。
【００２１】
なお、スライド板３は、挿入型回路遮断器２０がオフまたはトリップ状態のときに、矢印エ方向（図８に示す）に嵌挿させることにより、容易に装着が可能である。
【００２２】
なお、上記実施例では、単極の回路遮断器を例に記述したが、多極で構成されている回路遮断器の場合でも同様である。
【００２３】
【発明の効果】
この発明は以上説明したように、挿入型回路遮断器をオン、オフ操作するハンドルの動作に連動し、挿入型回路遮断器がオン状態のときには挿入型回路遮断器を盤パネルから離脱不能に保持し、挿入型回路遮断器がオフ状態のときには挿入型回路遮断器を盤パネルから離脱可能にさせるスライド板を設けたので、簡素で安全な構成であり、また、必要に応じて簡単に装着できるインターロック装置付挿入型回路遮断器となる。
【００２４】
また、実施の形態２の構成によれば、インターロック装置のない挿入型回路遮断器を、密着した状態で盤パネルに並設した後であっても、スライド板を必要に応じて簡単に装着できるなどの効果を奏する。
【図面の簡単な説明】
【図１】この発明の実施の形態１における挿入型回路遮断器のオン状態を示す側面図である。
【図２】図１のオフ状態を示す側面図である。
【図３】図１のトリップ状態を示す側面図である。
【図４】実施の形態１における挿入型回路遮断器のスライド板を組み込む前の状態を示す斜視図である。
【図５】回路遮断器にスライド板を組み込む前の状態を示すもので、図３のＡ−Ａ線における説明図である。
【図６】回路遮断器にスライド板を組み込む途中の状態を示すもので図３のＡ−Ａ線における説明図である。
【図７】この発明の実施の形態２における挿入型回路遮断器のオン状態を示す側面図である。
【図８】実施の形態２における挿入型回路遮断器のスライド板を組み込む前の状態を示す斜視図である。
【符号の説明】
１，３  スライド板、  １ａ，３ａ  腕部、１ｂ，３ｂ  鉤状腕部、
１ｃ  軸受孔、１ｄ，３ｃ  ハンドル嵌挿孔、  ２，２０  回路遮断器、
２ａ，２０ａ  段差部、  ２ｂ  突起軸、  ２ｅ，２０ｅ  ハンドル、
１０  導電バー、  １２  盤パネル、  １２ａ  角孔、
１２ｂ  パネル係合部。
【図１】
2004281217.tif 000003
【図２】
2004281217.tif 000004
【図３】
2004281217.tif 000005
【図４】
2004281217.tif 000006
【図５】
2004281217.tif 000007
【図６】
2004281217.tif 000008
【図７】
2004281217.tif 000009
【図８】
2004281217.tif 000010